【手続補正書】
【提出日】平成27年4月7日(2015.4.7)
【手続補正１】
【補正対象書類名】明細書
【補正対象項目名】００１１
【補正方法】変更
【補正の内容】
【００１１】
そのために本発明は、インクを吐出するためのエネルギーを生成する複数の記録素子が所定方向に配列された記録素子列と、温度センサと、が少なくとも設けられた記録素子基板を少なくとも有する記録ヘッドと、所定期間内において同時に駆動される記録素子の数である同時駆動数に関する情報を取得する第１の取得手段と、複数回のタイミングにおいて複数の出力値を前記温度センサから検出する検出手段と、前記検出手段によって検出された前記出力値に基づいて前記記録素子基板の温度に関する情報を取得する第２の取得手段と、前記第２の取得手段によって取得された前記温度に関する情報に基づいて、前記記録素子に印加する駆動パルスを決定する決定手段と、前記決定手段によって決定された前記駆動パルスを前記記録素子に印加することにより、前記記録ヘッドからインクを吐出するように制御する制御手段と、を有するインクジェット記録装置であって、前記第２の取得手段は、（ｉ）前記第１の取得手段によって取得された前記同時駆動数に関する情報が示す同時駆動数が第１の数である場合、前記検出手段によって検出された前記複数の出力値のうちのＭ個の出力値に基づいて前記記録素子基板の前記温度に関する情報を取得し、（ｉｉ）前記第１の取得手段によって取得された前記同時駆動数に関する情報が示す同時駆動数が前記第１の数よりも多い第２の数である場合、前記検出手段によって検出された前記複数の出力値のうちのＮ（Ｎ＞Ｍ）個の出力値に基づいて前記記録素子基板の前記温度に関する情報を取得することを特徴とする。
【手続補正２】
【補正対象書類名】明細書
【補正対象項目名】００１２
【補正方法】変更
【補正の内容】
【００１２】
また、インクを吐出するためのエネルギーを生成する複数の記録素子が所定方向に配列された記録素子列と、温度センサと、が少なくとも設けられた記録素子基板を少なくとも有する記録ヘッドを用い、所定期間内において同時に駆動される記録素子の数である同時駆動数に関する情報を取得する第１の取得工程と、複数回のタイミングにおいて複数の出力値を前記温度センサから検出する検出工程と、前記検出工程によって検出された前記出力値に基づいて前記記録素子基板の温度に関する情報を取得する第２の取得工程と、前記第２の取得工程によって取得された前記温度に関する情報に基づいて、前記記録素子に印加する駆動パルスを決定する決定工程と、前記決定工程によって決定された前記駆動パルスを前記記録素子に印加することにより、前記記録ヘッドからインクを吐出するように制御する制御工程と、を有するインクジェット記録方法であって、前記第２の取得工程は、（ｉ）前記第１の取得工程によって取得された前記同時駆動数に関する情報が示す同時駆動数が第１の数である場合、前記検出工程によって検出された前記複数の出力値のうちのＭ個の出力値に基づいて前記記録素子基板の前記温度に関する情報を取得し、（ｉｉ）前記第１の取得工程によって取得された前記同時駆動数に関する情報が示す同時駆動数が前記第１の数よりも多い第２の数である場合、前記検出工程によって検出された前記複数の出力値のうちのＮ（Ｎ＞Ｍ）個の出力値に基づいて前記記録素子基板の前記温度に関する情報を取得することを特徴とする。
【手続補正３】
【補正対象書類名】特許請求の範囲
【補正対象項目名】全文
【補正方法】変更
【補正の内容】
【特許請求の範囲】
【請求項１】
インクを吐出するためのエネルギーを生成する複数の記録素子が所定方向に配列された記録素子列と、温度センサと、が少なくとも設けられた記録素子基板を少なくとも有する記録ヘッドと、
所定期間内において同時に駆動される記録素子の数である同時駆動数に関する情報を取得する第１の取得手段と、
複数回のタイミングにおいて複数の出力値を前記温度センサから検出する検出手段と、
前記検出手段によって検出された前記出力値に基づいて前記記録素子基板の温度に関する情報を取得する第２の取得手段と、
前記第２の取得手段によって取得された前記温度に関する情報に基づいて、前記記録素子に印加する駆動パルスを決定する決定手段と、
前記決定手段によって決定された前記駆動パルスを前記記録素子に印加することにより、前記記録ヘッドからインクを吐出するように制御する制御手段と、
を有するインクジェット記録装置であって、
前記第２の取得手段は、（ｉ）前記第１の取得手段によって取得された前記同時駆動数に関する情報が示す同時駆動数が第１の数である場合、前記検出手段によって検出された前記複数の出力値のうちのＭ個の出力値に基づいて前記記録素子基板の前記温度に関する情報を取得し、（ｉｉ）前記第１の取得手段によって取得された前記同時駆動数に関する情報が示す同時駆動数が前記第１の数よりも多い第２の数である場合、前記検出手段によって検出された前記複数の出力値のうちのＮ（Ｎ＞Ｍ）個の出力値に基づいて前記記録素子基板の前記温度に関する情報を取得することを特徴とするインクジェット記録装置。
【請求項２】
前記第２の取得手段は、（ｉ）前記第１の取得手段によって取得された前記同時駆動数に関する情報が示す同時駆動数が所定の閾値よりも少ない場合、前記検出手段によって検出された前記複数の出力値のうちの前記Ｍ個の出力値に基づいて前記記録素子基板の前記温度に関する情報を取得し、（ｉｉ）前記第１の取得手段によって取得された前記同時駆動数に関する情報が示す同時駆動数が前記所定の閾値よりも多い場合、前記検出手段によって検出された前記複数の出力値のうちの前記Ｎ個の出力値に基づいて前記記録素子基板の前記温度に関する情報を取得することを特徴とする請求項１に記載のインクジェット記録装置。
【請求項３】
前記複数の記録素子を駆動するために前記複数の記録素子にエネルギーを供給するための第１の配線と、前記温度センサから検出された出力値を伝送するための第２の配線と、を有し、少なくとも前記第１の配線の一部と前記第２の配線の一部が平行に設けられ、且つ、前記記録素子基板と電気的に接続された配線基板を、前記記録ヘッドが更に有することを特徴とする請求項１または２に記載のインクジェット記録装置。
【請求項４】
前記検出手段は、所定の時間間隔にて前記温度センサからの前記複数の出力値を検出することを特徴とする請求項１から３のいずれか１項に記載のインクジェット記録装置。
【請求項５】
前記決定手段は、少なくとも第１のタイミングにおいて前記記録素子に印加する駆動パルスを決定し、
前記第２の取得手段は、（ｉ）前記第１の取得手段によって取得された前記同時駆動数に関する情報が示す同時駆動数が前記第１の数である場合、前記複数回のタイミングのうちの前記第１のタイミングよりも前の第２のタイミングから前記第１のタイミングまでの連続するＭ回のタイミングにおいて検出された前記Ｍ個の出力値に基づいて前記記録素子基板の前記温度に関する情報を取得し、（ｉｉ）前記第１の取得手段によって取得された前記同時駆動数に関する情報が示す同時駆動数が前記第２の数である場合、前記複数回のタイミングのうちの前記第１のタイミングよりも前の第３のタイミングから前記第１のタイミングまでの連続するＮ回のタイミングにおいて検出された前記Ｎ個の出力値に基づいて前記記録素子基板の前記温度に関する情報を取得することを特徴とする請求項１から４のいずれか１項に記載のインクジェット記録装置。
【請求項６】
前記記録ヘッドを記録媒体上の単位領域に対して走査させる走査手段と、
前記走査手段によって前記単位領域に対して行う走査の回数に関する情報を取得する第３の取得手段と、
前記第２の取得手段は、（ｉ）前記第３の取得手段によって取得された前記走査の回数に関する情報が示す走査回数が第１の回数であり、且つ、前記第１の取得手段によって取得された前記同時駆動数に関する情報が示す同時駆動数が前記第１の数である場合、前記検出手段によって検出された前記複数の出力値のうちの前記Ｍ個の出力値に基づいて前記記録素子基板の前記温度に関する情報を取得し、（ｉｉ）前記第３の取得手段によって取得された前記走査の回数に関する情報が示す走査回数が前記第１の回数であり、且つ、前記第１の取得手段によって取得された前記同時駆動数に関する情報が示す同時駆動数が前記第２の数である場合、前記検出手段によって検出された前記複数の出力値のうちの前記Ｎ個の出力値に基づいて前記記録素子基板の前記温度に関する情報を取得し、（ｉｉｉ）前記第３の取得手段によって取得された前記走査の回数に関する情報が示す走査回数が前記第１の回数よりも多い第２の回数である場合、前記検出手段によって検出された前記複数の出力値のうちの前記Ｎ個の出力値に基づいて前記記録素子基板の前記温度に関する情報を取得することを特徴とする請求項１から５のいずれか１項に記載のインクジェット記録装置。
【請求項７】
前記記録ヘッドは、前記インクジェット記録装置と第１の配線を通して接続された第１の前記温度センサと、前記インクジェット記録装置と前記第１の配線よりも長い第２の配線を通して接続された第２の前記温度センサと、を有し、
前記検出手段は、前記複数回のタイミングにおいて前記第１の温度センサからの複数の第１の出力値を検出し、且つ、前記第２の温度センサからの複数の第２の出力値を検出し、
前記第２の取得手段は、（ｉ−１）前記第１の取得手段によって取得された前記同時駆動数に関する情報が示す同時駆動数が前記第１の数である場合、前記検出手段によって検出された前記複数の第１の出力値のうちのＭ個の前記第１の出力値に基づいて第１の代表値を算出し、（ｉ−２）前記第１の取得手段によって取得された前記同時駆動数に関する情報が示す同時駆動数が前記第２の数である場合、前記検出手段によって検出された前記複数の第１の出力値のうちのＮ個の前記第１の出力値に基づいて第１の代表値を算出し、（ｉｉ−１）前記第１の取得手段によって取得された前記同時駆動数に関する情報が示す同時駆動数が前記第１の数である場合、前記検出手段によって検出された前記複数の第２の出力値のうちのＫ（Ｋ＞Ｍ）個の前記第２の出力値に基づいて第２の代表値を算出し、（ｉｉ−２）前記第１の取得手段によって取得された前記同時駆動数に関する情報が示す同時駆動数が前記第２の数である場合、前記検出手段によって検出された前記複数の第２の出力値のうちのＬ（Ｌ＞Ｋ且つＬ＞Ｎ）個の前記第２の出力値に基づいて第２の代表値を算出し、（ｉｉｉ）算出された前記第１の代表値と前記第２の代表値に基づいて、前記記録素子基板の前記温度に関する情報を取得することを特徴とする請求項１から６のいずれか１項に記載のインクジェット記録装置。
【請求項８】
前記記録ヘッドは、前記インクジェット記録装置と第１の配線を通して接続された第１の前記温度センサと、前記インクジェット記録装置と前記第１の配線よりも長い第２の配線を通して接続された第２の前記温度センサと、を有し、
前記検出手段は、前記複数回のタイミングにおいて前記第１の温度センサからの複数の第１の出力値を検出し、且つ、前記第２の温度センサからの複数の第２の出力値を検出し、
前記第２の取得手段は、（ｉ−１）前記第１の取得手段によって取得された前記同時駆動数に関する情報が示す同時駆動数が第１の閾値よりも少ない場合、前記検出手段によって検出された前記複数の第１の出力値のうちのＭ個の前記第１の出力値に基づいて第１の代表値を算出し、（ｉ−２）前記第１の取得手段によって取得された前記同時駆動数に関する情報が示す同時駆動数が前記第１の閾値よりも多い場合、前記検出手段によって検出された前記複数の第１の出力値のうちのＮ個の前記第１の出力値に基づいて第１の代表値を算出し、（ｉｉ−１）前記第１の取得手段によって取得された前記同時駆動数に関する情報が示す同時駆動数が前記第１の閾値未満である第２の閾値よりも少ない場合、前記検出手段によって検出された前記複数の第２の出力値のうちのＭ個の前記第２の出力値に基づいて第２の代表値を算出し、（ｉｉ−２）前記第１の取得手段によって取得された前記同時駆動数に関する情報が示す同時駆動数が前記第２の閾値よりも多い場合、前記検出手段によって検出された前記複数の第２の出力値のうちのＮ個の前記第２の出力値に基づいて第２の代表値を算出し、（ｉｉｉ）算出された前記第１の代表値と前記第２の代表値に基づいて、前記記録素子基板の前記温度に関する情報を取得することを特徴とする請求項１から６のいずれか１項に記載のインクジェット記録装置。
【請求項９】
前記第２の取得手段は、算出された前記第１の代表値と前記第２の代表値の平均を算出することにより、前記記録素子基板の前記温度に関する情報を取得することを特徴とする請求項７または８に記載のインクジェット記録装置。
【請求項１０】
前記第２の取得手段は、（ｉ）前記第１の取得手段によって取得された前記同時駆動数に関する情報が示す同時駆動数が前記第１の数である場合、前記検出手段によって検出された前記複数の出力値のうちの前記Ｍ個の出力値を平均化処理することにより前記記録素子基板の前記温度に関する情報を取得し、（ｉｉ）前記第１の取得手段によって取得された前記同時駆動数に関する情報が示す同時駆動数が前記第１の数よりも多い第２の数である場合、前記検出手段によって検出された前記複数の出力値のうちの前記Ｎ個の出力値を平均化処理することにより前記記録素子基板の前記温度に関する情報を取得することを特徴とする請求項１から９のいずれか１項に記載のインクジェット記録装置。
【請求項１１】
前記平均化処理は、移動平均処理であることを特徴とする請求項１０に記載のインクジェット記録装置。
【請求項１２】
前記検出手段は、前記インクジェット記録装置が予備吐出を行っている間は前記温度センサからの出力値の検出を行わないことを特徴とする請求項１から１１のいずれか１項に記載のインクジェット記録装置。
【請求項１３】
前記記録素子列は、それぞれ複数の記録素子から構成され、且つ、それぞれが互いに異なるタイミングにて駆動される複数の記録素子群に分割されることを特徴とする請求項１から１２のいずれか１項に記載のインクジェット記録装置。
【請求項１４】
前記駆動パルスは、プレパルスと、前記プレパルスの後に前記記録素子に印加されるメインパルスと、から構成され、
前記決定手段は、（ｉ）前記第２の取得手段によって取得された前記温度に関する情報が示す温度が第１の温度である場合、プレパルスのパルス幅が第１の幅である第１の駆動パルスを前記記録素子に印加する駆動パルスに決定し、（ｉｉ）前記第２の取得手段によって取得された前記温度に関する情報が示す温度が前記第１の温度よりも低い第２の温度である場合、プレパルスのパルス幅が前記第１の幅よりも長い第２の幅である第２の駆動パルスを前記記録素子に印加する駆動パルスに決定することを特徴とする請求項１から１３のいずれか１項に記載のインクジェット記録装置。
【請求項１５】
インクを吐出するためのエネルギーを生成する複数の記録素子が所定方向に配列された記録素子列と、温度センサと、が少なくとも設けられた記録素子基板を少なくとも有する記録ヘッドを用い、
所定期間内において同時に駆動される記録素子の数である同時駆動数に関する情報を取得する第１の取得工程と、
複数回のタイミングにおいて複数の出力値を前記温度センサから検出する検出工程と、
前記検出工程によって検出された前記出力値に基づいて前記記録素子基板の温度に関する情報を取得する第２の取得工程と、
前記第２の取得工程によって取得された前記温度に関する情報に基づいて、前記記録素子に印加する駆動パルスを決定する決定工程と、
前記決定工程によって決定された前記駆動パルスを前記記録素子に印加することにより、前記記録ヘッドからインクを吐出するように制御する制御工程と、を有するインクジェット記録方法であって、
前記第２の取得工程は、（ｉ）前記第１の取得工程によって取得された前記同時駆動数に関する情報が示す同時駆動数が第１の数である場合、前記検出工程によって検出された前記複数の出力値のうちのＭ個の出力値に基づいて前記記録素子基板の前記温度に関する情報を取得し、（ｉｉ）前記第１の取得工程によって取得された前記同時駆動数に関する情報が示す同時駆動数が前記第１の数よりも多い第２の数である場合、前記検出工程によって検出された前記複数の出力値のうちのＮ（Ｎ＞Ｍ）個の出力値に基づいて前記記録素子基板の前記温度に関する情報を取得することを特徴とするインクジェット記録方法。